(57)【特許請求の範囲】
【請求項１】
所定長さを有するたて桟が所定間隔をもって対向して設けられ、そのたて桟間に多数のルーバ羽が両側の回転軸を介して開閉可能にとりつけられている建物用ルーバにおいて、前記ルーバ羽は合成樹脂製、アルミ製の軽量材からなり、中間に骨を入れた中空型材であり、前記それぞれの回転軸の一方には回転カムが一体的に成型されており、さらにその回転カムの係合部は、たて桟の長手方向に配設しているアームの係合孔に係合しており、所定の回転カムには回転ギアが連動してもうけられており、その回転ギアにはハンドルと連動するハンドルギアが噛合されており、ハンドルの回転操作によってハンドルギア、回転ギア、回転カムを回転せしめ、同時にアームを上下方向に移動し、ア−ムに係合している回転カムが回転してルーバ羽が連動して回転することを特徴とする建物用ルーバ。
【請求項２】
ハンドルは周囲を凹部と凸部の凹凸状に形成してあり、その凹部にストッパが嵌まって回転を阻止するロック機構を備えていることを特徴とする請求項１記載の建物用ルーバ。
【発明の詳細な説明】
【０００１】
【発明の属する技術分野】
本発明は建物用ルーバの改良に関する。従来建物用ルーバは開口窓の外側に設けられるベランダ、バルコニー等のフエンス、面格子等にもちいられる。また雨戸等の面板として用いられる。本発明のルーバも少なくともそれらに、とくに面格子に適用できるルーバである。
【０００２】
【発明が解決しようとする課題】
従来公知の建物用ルーバはいろいろな構造のものがあるが、組み立て性、操作性、コスト等において満足できるものでない。例えば組み立て性においては部材数が多くて、それがコストに影響したり、操作性においてはルーバ羽が重く、開閉機構の確実性に乏しい等の問題点があった。本発明はこれらの問題点を解消している。
【０００３】
【課題を解決するための手段】
本発明つぎの特徴を備えている。
その一つは「所定長さを有するたて桟が所定間隔をもって対向して設けられ、そのたて桟間に多数のルーバ羽が両側の回転軸を介して開閉可能にとりつけられている建物用ルーバにおいて、前記ルーバ羽は合成樹脂製、アルミ製の軽量材からなり、中間に骨を入れた中空型材であり、前記それぞれの回転軸の一方には回転カムが一体的に成型されており、さらにその回転カムの係合部は、たて桟の長手方向に配設しているアームの係合孔に係合しており、所定の回転カムには回転ギアが連動してもうけられており、その回転ギアにはハンドルと連動するハンドルギアが噛合されており、ハンドルの回転操作によってハンドルギア、回転ギア、回転カムを回転せしめ、同時にアームを上下方向に移動し、ア−ムに係合している回転カムが回転してルーバ羽が連動して回転することを特徴とする建物用ルーバ」である。
その二つは「上記の建物用ルーバにおいて、ハンドルは周囲を凹部と凸部の凹凸状に形成してあり、その凹部にストッパが嵌まって回転を阻止するロック機構を備えていることを特徴とする建物用ルーバ」である。
【０００４】
【実施例】
本発明の建物用ルーバの実施例を面格子として図示しているので、その図面を用いて説明する。
図１において１は所定の長さを有する３本のたて桟であり、所定間隔をもって対向して設けられている。中間の縦桟を中桟とも言う。その桟間にはその桟の長手方向に沿ってルーバ羽２が多数の数回転軸（不図示）を介して開閉可能に取り付けられており、操作用のハンドル３の回転操作によってルーバが開閉する。４、４は横桟である。
【０００５】
図２、図３、図４においてたて桟１、１間にルーバ羽２が回転軸５を介して回転可能に、つまり開閉可能に取り付けられている。ルーバ羽２は合成樹脂製、アルミ製の軽量材からなる中空型材であり、略偏平状にして中間に２本の骨を入れて、３つの空間を形成している。その中間部の中空部２ａには両側から回転軸５の一端側が挿入されている。回転軸の他端側はたて桟に回転自在に取り付けられている。
【０００６】
回転軸５は、合成樹脂等からなる一体成型体であり、この実施例では中桟に軸支しているものと、両側のたて桟に軸支しているものとは形状、構造を異にしている。中桟に軸支している回転軸５はルーバ羽の中間部の中空部に一端側の板状部５ａが挿入されており、他端側の軸部５ｂが回転軸となって中桟の軸孔に挿入されており、かつ受けフランジ５ｃがルーバ羽と中桟の間に介入した形で保持している。よって回転軸は挿入のみで保持されている。
つぎに両側の縦桟に軸支している回転軸５は一端側に前記の物と同様に、ルーバ羽の中間部の中空部に挿入される板状部５ａがあり、中間に回転軸部５ｂと一体の回転カム５ｄがあり、他端側に２個の突起状の係合部５ｅ、５ｆがあり、これらが一体成型されている。しかして図示のとおりルーバ羽の中空部には回転軸の板状部５ａが縦桟の軸孔を介して挿入されており、かつ縦桟の軸孔に軸部５ｂが、外側には回転カムの一面側が当てつけられるような状態で回転軸が取り付けられている。
【０００７】
しかして回転軸の延長線上に設けた係合部５ｅには扇形の回転ギア６の軸孔６ａが挿入されて一体的に固定されており、回転カムの先端側に設けている係合部５ｆは回転ギアの係合孔６ｂに一体的に係合されている。１ａはたて桟の一部を構成する外蓋である。この蓋に回転カムの係合部５ｅが近接状態に位置するように設計しているので、回転軸は何らの止め具をもちいることなく、外蓋が当て部となりルーバ羽から脱出することがなく保持される。勿論他の手段で回転軸のルーバ羽からの脱出を阻止する構造とすることができるが、上記実施例のものであればルーバ羽の両側の中空部に挿入される回転軸が脱出することがない。
【０００８】
操作用のハンドル３は周囲を凸部３ａ、凹部３ｂの凹凸状に形成してあり、この凸部に目盛りを付して操作ダイヤルと称してもよい。このハンドルの軸部３ｄの周囲には小径のハンドルギア３ｃを一体に形成している。このハンドルギア３ｃが回転ギア６と噛合して、回転ギア６を回転せしめ、それと連動して回転カムを通して回転軸が回転し、ルーバ羽を回転せしめる。ハンドルの回転方向に追従して回転ギアを通してルーバ羽が回転することによってルーバ羽が開の状態、閉の状態を保つ。
【０００９】
７はアームであり、たて桟の長手方向に配設している。該アームに係合孔が長手方向に沿って所定数形成してあり、この係合孔にルーバ羽のそれぞれと連動している回転軸５の回転カム５ｄの係合部５ｆを係合している。それゆえにハンドル３の回転操作によってハンドルギア３ｃから回転ギア６を回転せしめ次いでそれと連動する回転カム５ｄを回転せしめ、同時に係合部５ｆを介してアームが上下方向に移動する。それと同時にアームの係合孔に係合しているその他の回転カムが回転するので、ルーバ羽が連動して回転する。図２で点線で示しているルーバ羽および回転カムはアームの移動によって回転カムおよびルーバ羽を回転している状態を示す。
【００１０】
図５、図６は主にケース８中にある操作用ハンドル３のロック機構を説明するための図面である。ケース８にはハンドル３、ハンドルギア３ｃ、回転ギア６の一部、ロックボタン９、ストッパ１０、スプリング１１などが収められている。ロックする場合にはロックボタン９を上方に押上げると、ストッパ１０がスプリング１１に付勢された状態でハンドル３の凹部３ｂに嵌まってハンドルの回転を阻止する。
【００１１】
ロックを外す場合にはロックボタンを下げる方向に押し下げると、ロックボタンの突起部９ｃがストッパ１０を押動し、ストッパ１０がスプリング１１に抗して押し下げられて凹部３ｂから外れてハンドルの回転が可能となる。ロックボタン９は板状体の両端の上下端に鉤型の押動部９ａ、９ｂを形成しており、上下方向にスライドできる構造としている。またケース８とは互いに凹凸係合できるように長手方向の所定箇所に係合部８ａ、９ｄを形成している。これによってロックボタンの予期せぬ移動を阻止しているが、必ずしも必要でない。１２はケースの蓋である。
【００１２】
以上本発明の一実施例について説明しているが、本発明の技術思想を逸脱しない限りの設計変更ができることは言うまでもない。例えば中間のたて桟のない両たて桟間に一枚のルーバ羽が収まっている構造としたもの等がある。
【００１３】
【作用、効果】
本発明は次の作用、効果を奏する。
（１）ルーバ羽が中空型材であり、軽量な材質からなっているので軽量であり、中間部の仕切り骨によって補強されている。
（２）回転軸のルーバ羽との止具による固定を省略しており、部材の削減により組立性がよく、コスト低下を図っている。
（３）回転軸と回転カムが一体成型されているので、組立性、コスト削減、作動の一体性に寄与している。
（４）回転カムに回転ギアが連動し、ハンドルギアが回転ギアに連動する構成によって、ハンドルの回転操作によって大人、小人を問わず簡単に、確実に開閉操作ができる。
（５）ハンドルの回転を阻止するロック機構を備えているので強風、振動等によってルーバ羽の回転がなくなり、常に所定の設定角度の開閉度合を保持している。
【図面の簡単な説明】
【図１】本発明建物用ルーバの略正面図。
【図２】図１に示すルーバの回転機構を示す縦断面側から見た概略図。
【図３】図１に示すルーバの回転機構を示す横断面側からみた概略図。
【図４】本発明建物用ルーバの開閉機構にかかる部分の分解斜視図。
【図５】図４に示す各部材の組立状態を示す説明図。
【図６】操作用ハンドルのロック機構を示す略斜視図である。
【符号の説明】
１    たて桟
１ａ  外蓋
２    ルーバ羽
２ａ  中空部
３    ハンドル
４    横桟
５    回転軸
５ａ  板状部
５ｂ  軸部
５ｄ  回転カム
６    回転ギア
７    アーム
８    ケース
９    ロックボタン
１０  ストッパ
１１  スプリング
【図１】
0004257473.tif 000002
【図２】
0004257473.tif 000003
【図３】
0004257473.tif 000004
【図４】
0004257473.tif 000005
【図５】
0004257473.tif 000006
【図６】
0004257473.tif 000007